(57)【特許請求の範囲】
【請求項１】
管理装置と、１以上のユーザーサイトに設置され前記管理装置とネットワークで接続された画像形成装置および無停電電源装置とを含み、
前記無停電電源装置は、
同じ前記ユーザーサイトに設置された前記画像形成装置と通信可能な第１の通信部と、
電源からの電力供給が停止したとき、前記電源からの電力供給が停止した旨を知らせる第１の電源断の通知を同じ前記ユーザーサイトに設置された前記画像形成装置に通知する制御部と、
同じ前記ユーザーサイトに設置された前記画像形成装置に電力を供給可能なバッテリーと
を備え、
前記画像形成装置は、
自装置の位置情報を記憶した第１の記憶部と、
同じ前記ユーザーサイトに設置された無停電電源装置および前記管理装置と通信可能な第２の通信部と、
前記無停電電源装置から前記第１の電源断の通知を受けたとき、前記第１の記憶部から前記位置情報を取得し、取得した前記位置情報と共に、前記電源からの電力供給が停止した旨を知らせる第２の電源断の通知を前記管理装置に送信する電源断通知部と
を備え、
前記管理装置は、
前記画像形成装置と通信可能な第３の通信部と、
前記画像形成装置のディーラーの位置情報および連絡先が記録された第２の記憶部と、
前記第２の電源断の通知を受信したとき、受信した前記第２の電源断の通知から前記画像形成装置の前記位置情報を抽出し、地図情報サービスから取得した地図上に抽出した前記位置情報をマッピングし、マッピング結果に基づいて広域停電が発生しているか否かを判断する停電判断部と、
前記停電判断部により広域停電が発生していると判断されたとき、前記ディーラーの位置情報に基づいて、広域停電が発生している地域の近隣の前記ディーラーに、広域停電が発生している旨を通知する通知サービス部と
を備えた
情報処理システム。
【請求項２】
請求項１に記載の情報処理システムであって、
前記停電判断部は、
地図上での、前記画像形成装置の設置密度、受信した第２の電源断の通知の件数、および前記第２の電源断の通知を通知した前記画像形成装置の設置位置を前記マッピング結果として用いて、広域停電が発生しているか否かを判断する
情報処理システム。
【請求項３】
請求項１または２に記載の情報処理システムであって、
前記第２の記憶部は、広域停電の発生履歴を記憶可能であり、
前記停電判断部は、広域停電が発生していると判断したとき、広域停電が発生した旨を前記発生履歴として前記第２の記憶部に蓄積し、
前記発生履歴に基づいて広域停電が多く発生する地域を特定し、特定した前記地域を担当する前記ディーラーに、当該地域では広域停電が多く発生する旨を、前記ディーラーの前記連絡先に通知する停電履歴解析部をさらに備えた
情報処理システム。
【請求項４】
無停電電源装置の制御部が、電源からの電力供給が停止したとき、前記電源からの電力供給が停止した旨を知らせる第１の電源断の通知を同じユーザーサイトに設置された画像形成装置に通知し、
前記画像形成装置の電源断通知部が、前記無停電電源装置から前記第１の電源断の通知を受けたとき、第１の記憶部に記憶された自装置の位置情報を取得し、取得した前記位置情報と共に、前記電源からの電力供給が停止した旨を知らせる第２の電源断の通知を管理装置に送信し、
前記管理装置の停電判断部が、前記第２の電源断の通知を受信したとき、受信した前記第２の電源断の通知から前記画像形成装置の前記位置情報を抽出し、地図情報サービスから取得した地図上に抽出した前記位置情報をマッピングし、マッピング結果に基づいて広域停電が発生しているか否かを判断し、
前記管理装置の通知サービス部が、前記停電判断部により広域停電が発生していると判断されたとき、第２の記憶部に記憶されたディーラーの位置情報に基づいて、広域停電が発生している地域の近隣の前記ディーラーに、広域停電が発生している旨を通知する
情報処理方法。
【発明の詳細な説明】
【技術分野】
【０００１】
本発明は、広域停電を検知する情報処理システムおよび情報処理方法に関する。
【背景技術】
【０００２】
電力インフラストラクチャーが整備されていない場合や、大災害等が発生した場合など、広範囲に亘って広域停電が発生することがある。
【０００３】
また、大災害等により発電所が停止した場合など、電力供給が不足する場合には、計画停電が実施されることがある。
【０００４】
そのため、これらの停電に対応するための様々な工夫がなされてきた。
【０００５】
例えば、特許文献１において開示されている技術では、ファクシミリ通信における送信相手の電話番号の市外局番から地域を割り出し、その地域における計画停電の時間帯に送信する場合は再発呼待ち時間を２４時間以上に設定することにより対応する。
【０００６】
また、例えば、特許文献２の画像形成装置（ＭＦＰ、Multifunction Peripheral）では、印刷ジョブ実行中の停電後、電力供給が再開されたときに、保存している情報に基づいて中断した印刷ジョブを再開する際、その電力供給の停止時間に応じて印刷ジョブを再開するかどうかを制御することにより、無駄な印刷を防ぐ。
【先行技術文献】
【特許文献】
【０００７】
【特許文献１】特開２０１３−１１５８０５号公報
【特許文献２】特開２０１５−１０４８７４号公報
【発明の概要】
【発明が解決しようとする課題】
【０００８】
以上のように、停電に対応するための様々な工夫がなされてきたが、近隣地域で発生した停電をディーラーに通知したり、広い範囲における停電発生の履歴を取り停電が頻発する地域へ重点的に無停電電源装置を販売できるようにしたりすることは行われていなかった。
【０００９】
以上のような事情に鑑み、本発明の目的は、近隣地域で発生した停電をディーラーに通知したり、広い範囲における停電発生の履歴を取り停電が頻発する地域への重点的な無停電電源装置の販売促進を出来るようにしたりする情報処理システムおよび情報処理方法を提供することにある。
【課題を解決するための手段】
【００１０】
上記目的を達成するため、本発明の一形態に係る情報処理システムは、管理装置と、１以上のユーザーサイトに設置され前記管理装置とネットワークで接続された画像形成装置および無停電電源装置とを含み、前記無停電電源装置は、同じ前記ユーザーサイトに設置された前記画像形成装置と通信可能な第１の通信部と、電源からの電力供給が停止したとき、前記電源からの電力供給が停止した旨を知らせる第１の電源断の通知を同じ前記ユーザーサイトに設置された前記画像形成装置に通知する制御部と、同じ前記ユーザーサイトに設置された前記画像形成装置に電力を供給可能なバッテリーとを備え、前記画像形成装置は、自装置の位置情報を記憶した第１の記憶部と、同じ前記ユーザーサイトに設置された無停電電源装置および前記管理装置と通信可能な第２の通信部と、前記無停電電源装置から前記第１の電源断の通知を受けたとき、前記第１の記憶部から前記位置情報を取得し、取得した前記位置情報と共に、前記電源からの電力供給が停止した旨を知らせる第２の電源断の通知を前記管理装置に送信する電源断通知部とを備え、前記管理装置は、前記画像形成装置と通信可能な第３の通信部と、前記画像形成装置のディーラーの位置情報および連絡先が記録された第２の記憶部と、前記第２の電源断の通知を受信したとき、受信した前記第２の電源断の通知から前記画像形成装置の前記位置情報を抽出し、地図情報サービスから取得した地図上に抽出した前記位置情報をマッピングし、マッピング結果に基づいて広域停電が発生しているか否かを判断する停電判断部と、前記停電判断部により広域停電が発生していると判断されたとき、前記ディーラーの位置情報に基づいて、広域停電が発生している地域の近隣の前記ディーラーに、広域停電が発生している旨を通知する通知サービス部とを備える。そのため、近隣地域で発生した停電をディーラーに通知することが出来る。
【００１１】
上記目的を達成するため、本発明の一形態に係る情報処理システムでは、前記停電判断部は、地図上での、前記画像形成装置の設置密度、受信した第２の電源断の通知の件数、および前記第２の電源断の通知を通知した前記画像形成装置の設置位置を前記マッピング結果として用いて、広域停電が発生しているか否かを判断する構成でもよい。
【００１２】
上記目的を達成するため、本発明の一形態に係る情報処理システムでは、前記第２の記憶部は、広域停電の発生履歴を記憶可能であり、前記停電判断部は、広域停電が発生していると判断したとき、広域停電が発生した旨を前記発生履歴として前記第２の記憶部に蓄積し、前記発生履歴に基づいて広域停電が多く発生する地域を特定し、特定した前記地域を担当する前記ディーラーに、当該地域では広域停電が多く発生する旨を、前記ディーラーの前記連絡先に通知する停電履歴解析部をさらに備えた構成でもよい。そのため、広い範囲における停電発生の履歴を取り停電が頻発する地域への重点的な無停電電源装置の販売促進を出来る。
【００１３】
上記目的を達成するため、本発明の一形態に係る情報処理方法では、無停電電源装置の制御部が、電源からの電力供給が停止したとき、前記電源からの電力供給が停止した旨を知らせる第１の電源断の通知を同じユーザーサイトに設置された画像形成装置に通知し、前記画像形成装置の電源断通知部が、前記無停電電源装置から前記第１の電源断の通知を受けたとき、第１の記憶部に記憶された自装置の位置情報を取得し、取得した前記位置情報と共に、前記電源からの電力供給が停止した旨を知らせる第２の電源断の通知を管理装置に送信し、前記管理装置の停電判断部が、前記第２の電源断の通知を受信したとき、受信した前記第２の電源断の通知から前記画像形成装置の前記位置情報を抽出し、地図情報サービスから取得した地図上に抽出した前記位置情報をマッピングし、マッピング結果に基づいて広域停電が発生しているか否かを判断し、前記管理装置の通知サービス部が、前記停電判断部により広域停電が発生していると判断されたとき、第２の記憶部に記憶されたディーラーの位置情報に基づいて、広域停電が発生している地域の近隣の前記ディーラーに、広域停電が発生している旨を通知する。
【発明の効果】
【００１４】
以上のように、本発明によれば、近隣地域で発生した停電をディーラーに通知したり、広い範囲における停電発生の履歴を取り停電が頻発する地域への重点的な無停電電源装置の販売促進を出来るようにしたりする。
【図面の簡単な説明】
【００１５】
【図１】本発明の一実施形態に係る情報処理システム１の全体構成図である。
【図２】管理装置１０が一般的なコンピューターにより構成される場合の構成図である。
【図３】画像形成装置２０の構成を概略的に示す構成図である。
【図４】ＵＰＳ３０の構成図である。
【図５】画像形成装置２０をユーザーサイトに設置する際に行われる処理の流れについて説明するためのフローチャートである。
【図６】電源１００からの電力供給が停止した際の、ＵＰＳ３０における処理の流れについて説明するためのフローチャートである。
【図７】ＵＰＳ３０から電源断の通知を受けた画像形成装置２０における処理の流れについて説明するためのフローチャートである。
【図８】画像形成装置２０から電源断の通知を受けた管理装置１０における処理の流れについて説明するためのフローチャートである。
【図９】広域停電が頻発する地域に対してＵＰＳを画像形成装置２０と同時購入するという販売促進を行うための処理の流れについて説明するためのフローチャートである。
【発明を実施するための形態】
【００１６】
以下、図面を参照しながら、本発明の実施形態を説明する。
【００１７】
［全体構成］
最初に、本発明の一実施形態に係る情報処理システム１の全体構成を説明する。図１は、本発明の一実施形態に係る情報処理システム１の全体構成図である。
【００１８】
図１に示すように、情報処理システム１は、管理装置１０と、各ユーザーサイトに設置された画像形成装置２０およびＵＰＳ（Uninterruptible Power Supply、無停電電源装置）３０とを含み、これらが互いにネットワークで結ばれている。
【００１９】
画像形成装置２０は、ＵＰＳ３０を介して電源１００と接続されており、発電所から供給される電力が切れると（電源断）、ＵＰＳ３０に蓄えられた電力が供給され、実行中のジョブが完了するまで、画像形成装置２０における処理が継続される。
【００２０】
ＵＰＳ３０は、ルーターなどのＮＷ（ネットワーク）機器４０にも接続されているので、電源１００からの電力供給が停止した場合でも、画像形成装置２０と管理装置１０の間の通信は可能である。
【００２１】
電源１００からの電力供給が停止した場合、ＵＰＳ３０が電源断を検知し画像形成装置２０に通知（第１の電源断の通知）する。画像形成装置２０は電源断の通知を受けると、自装置の位置情報と共に、電源１００による電力供給が停止した旨をネットワーク経由で管理装置１０に通知（第２の電源断の通知）する。
【００２２】
電力供給が停止した画像形成装置２０からの電源断の通知を受けた管理装置１０は、地図情報を基に、電源断の範囲を特定し、電源断が電源ケーブルがコンセントから抜かれただけなのか、広域に亘り停電が発生しているのかを判断する。
【００２３】
広域停電であると判断した場合は、管理装置１０は、停電している地域の近隣に位置するディーラーサイトのディーラーやユーザーサイトのユーザーのユーザー端末５０に、近隣で停電が発生している旨を通知する。
【００２４】
また、管理装置１０は、停電の履歴を取って停電が頻繁に発生する地域を特定し、特定した地域を販売対象地域とするディーラーに対し、その旨を通知する。
【００２５】
停電が頻発する旨の通知を受けたディーラーは、その地域のユーザーに画像形成装置２０を販売する際、ＵＰＳ３０を一緒に購入することを推奨する。
【００２６】
以上、本発明の一実施形態に係る情報処理システム１の全体構成を説明した。
【００２７】
［管理装置の構成］
次に、管理装置１０の構成について説明する。管理装置１０は、専用のハードウェアやソフトウェアにより構成されていてもよいし、一般的なコンピューターにより構成されてもよい。管理装置１０が一般的なコンピューターにより構成される場合の構成図を図２に示す。
【００２８】
同図に示すように、管理装置１０は、ＣＰＵ（Central Processing Unit）１１、ＲＯＭ（Read Only Memory）１２、ＲＡＭ（Random Access Memory）１３、操作入力部１４、通信部１５（第３の通信部）、表示部１６、および記憶部１７（第２の記憶部）を有し、これら各ブロックがバス１８を介して接続されている。
【００２９】
ＲＯＭ１２は、各種の処理を実行するためのファームウェア等の複数のプログラムやデータを記憶する。ＲＡＭ１３は、ＣＰＵ１１の作業用領域として用いられ、ＯＳ（Operating System）、実行中の各種アプリケーション、処理中の各種データを一時的に保持する。
【００３０】
記憶部１７は、例えばＨＤＤ（Hard Disk Drive）や、フラッシュメモリー、その他の不揮発性メモリーである。記憶部１７には、ＯＳや各種アプリケーション、各種データ、地図情報１７ａ、連絡先情報１７ｂ、および停電履歴１７ｃが記憶される。
【００３１】
地図情報１７ａは、画像形成装置２０からの電源断の通知に含まれる位置情報から、電源断が発生した画像形成装置２０の設置位置を地図上にマッピングするために用いられる。
【００３２】
連絡先情報１７ｂは、広域停電が発生した旨の通知や停電が多く発生している地域であることを知らせる通知を送る連絡先の情報である。連絡先情報１７ｂには、画像形成装置２０のディーラー（ユーザーが含まれていてもよい）の位置情報と連絡先が記録されている。
【００３３】
停電履歴１７ｃは、発生した停電の履歴を発生した地域を示す情報と共に蓄積した履歴である。
【００３４】
通信部１５は、画像形成装置２０と情報のやりとりを行う為のネットワークと結ばれている。
【００３５】
ＣＰＵ１１は、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６及び記憶部１７を適宜制御する。
【００３６】
操作入力部１４は、例えばマウス等のポインティングデバイス、キーボード、タッチパネル、その他の操作装置である。
【００３７】
表示部１６は、例えば液晶ディスプレイ、ＥＬ（Electro-Luminescence）ディスプレイ、プラズマディスプレイ等である。
【００３８】
次に、ＣＰＵ１１においてプログラムが実行されることにより実現される機能ブロックについて説明する。
【００３９】
管理装置１０のＣＰＵ１１において実現される機能ブロックは、停電判断部１１ａ、地図情報サービス部１１ｂ、通知サービス部１１ｃ、および停電履歴解析部１１ｄである。
【００４０】
停電判断部１１ａは、各画像形成装置２０からの電源断の通知と、地図情報から、広域停電が発生しているか否かを判断する。
【００４１】
地図情報サービス部１１ｂは、記憶部１７に記憶された地図情報１７ａに基づき、地図上へのマッピングサービスを提供する。なお、ここでは地図情報１７ａは記憶部１７に記憶されているとしたが、この構成に限らず、地図情報を管理装置１０の外部から取得する構成でもよい。また、地図情報サービス部１１ｂに代わり、外部の地図情報サービスを利用する構成でもよい。
【００４２】
通知サービス部１１ｃは、広域停電が発生した旨を停電地域の近隣のディーラーやユーザーに通知したり、広域停電が頻発する地域を担当するディーラーにその旨を通知したりする。通知方法は、電子メールなどでもよい。通知する際は、記憶部１７に記憶された連絡先情報１７ｂに基づき連絡を行う。
【００４３】
停電履歴解析部１１ｄは、記憶部１７の停電履歴１７ｃに蓄積された広域停電の履歴を解析し、どの地域で多くの停電が発生しているかを解析する。
【００４４】
以上、管理装置１０の構成について説明した。
【００４５】
［画像形成装置の構成］
次に、画像形成装置２０の構成について説明する。図３は画像形成装置２０の構成を概略的に示す構成図である。
【００４６】
画像形成装置２０は、制御部２１を備える。制御部２１は、ＣＰＵ、ＲＡＭ、ＲＯＭ、および専用のハードウェア回路等から構成され、画像形成装置２０の全体的な動作制御を司る。
【００４７】
制御部２１は、原稿読取部２２、画像処理部２３、画像メモリー２４、画像形成部２５、操作部２６、表示部２６ａ、ファクシミリ通信部２７、通信部２８（第２の通信部）、記憶部２９（第１の記憶部）等と接続されている。制御部２１は、接続されている上記各部の動作制御や、各部との間での信号又はデータの送受信を行う。
【００４８】
制御部２１は、ユーザーから、操作部２６またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００４９】
また、制御部２１は、電源断通知部２１ａを有している。電源断通知部２１ａは、ＲＯＭなどからＲＡＭにロードされたプログラムがＣＰＵにより実行されることで実現される機能ブロックである。
【００５０】
電源断通知部２１ａは、ＵＰＳ３０から電源断の通知を受けると、記憶部２９に記憶している、自装置の位置情報２９ａを取得し、取得した位置情報２９ａと共に、電源断が発生した旨の通知を管理装置１０に送信する。
【００５１】
原稿読取部２２は、原稿から画像を読み取る。
【００５２】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００５３】
画像メモリー２４は、原稿読取部２２による読み取りで得られた原稿画像のデータを一時的に記憶したり、画像形成部２５での印刷対象となるデータを一時的に記憶したりする領域である。
【００５４】
画像形成部２５は、原稿読取部２２で読み取られた画像データ等の画像形成を行う。
【００５５】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００５６】
ファクシミリ通信部２７は、図示しない符号化／復号化部、変復調部、およびＮＣＵ（Network Control Unit）を備え、公衆電話回線網を用いてのファクシミリの送信を行う。
【００５７】
通信部２８は、ＬＡＮボード等の通信モジュールから構成され、通信部２８に接続されたＬＡＮ等を介して、管理装置１０や、ＵＰＳ３０、ローカルエリア内の装置(ＰＣ等)と種々のデータの送受信を行う。なお、通信部２８とＵＰＳ３０はシリアル回線等で接続されていてもよい。
【００５８】
記憶部２９は、原稿読取部２２によって読み取られた原稿画像や、位置情報２９ａを記憶する。記憶部２９は、ＨＤＤなどの大容量の記憶装置である。
【００５９】
位置情報２９ａは、画像形成装置２０を設置する際に、ＧＰＳ（Global Positioning System）機能を有するサービス端末から出力された緯度、経度情報をサービスマンが画像形成装置２０に入力したものである。
【００６０】
なお、ここでは画像形成装置２０が位置情報を記憶する構成としたが、この構成に限らず、画像形成装置２０が設置された位置の位置情報は、画像形成装置２０を一意に識別する識別子と共に、管理装置１０に記憶される構成でもよい。
【００６１】
以上、画像形成装置２０の構成について説明した。
【００６２】
［ＵＰＳの構成］
次に、ＵＰＳ３０の構成について説明する。図４は、ＵＰＳ３０の構成図である。
【００６３】
ＵＰＳ３０は、制御部３１、通信部３２（第１の通信部）、およびバッテリー３３を含んでいる。
【００６４】
制御部３１は、電源１００からの電力供給がある場合に画像形成装置２０に電力を供給すると共に、バッテリー３３を充電する。電源からの電力供給が止まった場合は、その旨を通信部３２経由で画像形成装置２０に通知すると共に、バッテリー３３からの電力供給を行う。
【００６５】
なお、制御部３１はピークシフト機能を持っていてもよい。ピークシフト機能とは、予め設定したスケジュールに従い、電力料金の安い夜間にバッテリー３３を充電しておき、電力使用のピークとなる時間帯に、バッテリー３３から電力供給を行うものである。
【００６６】
なお、ピークシフト機能は、ＵＰＳ３０の制御部による制御以外に、画像形成装置２０の制御部２１による制御で実行されてもよい。
【００６７】
通信部３２は、電力を供給する画像形成装置２０と通信する。
【００６８】
バッテリー３３は、画像形成装置２０でジョブが実行されている際に電源１００からの電力供給が停止しても、ジョブを正常終了できるだけの電力を供給可能な電力容量を持つ二次電池である。
【００６９】
以上、ＵＰＳ３０の構成について説明した。
【００７０】
［処理の流れ（画像形成装置の設置）］
次に、情報処理システム１における処理のうち、画像形成装置２０をユーザーサイトに設置する際に行われる処理の流れについて説明する。図５は、画像形成装置２０をユーザーサイトに設置する際に行われる処理の流れについて説明するためのフローチャートである。
【００７１】
まず、サービスマンが画像形成装置２０をユーザーサイトに設置する（ステップＳ１）。この際、ＵＰＳ３０やＮＷ機器４０との接続も行われる。
【００７２】
次に、ＧＰＳ機能を揺するサービス端末から、画像形成装置２０の設置位置に関する位置情報を取得し、画像形成装置２０へ入力する（ステップＳ２）。入力はサービス端末から画像形成装置２０へ直接行われてもよい。
【００７３】
次に、画像形成装置２０の制御部２１は、入力された位置情報を記憶部２９に記憶させる（ステップＳ３）。
【００７４】
以上、情報処理システム１における処理のうち、画像形成装置２０をユーザーサイトに設置する際に行われる処理の流れについて説明した。
【００７５】
［処理の流れ（ＵＰＳにおける電源断検知）］
次に、情報処理システム１における処理のうち、電源１００からの電力供給が停止した際の、ＵＰＳ３０における処理の流れについて説明する。図６は、電源１００からの電力供給が停止した際の、ＵＰＳ３０における処理の流れについて説明するためのフローチャートである。
【００７６】
まず、制御部３１が、電源１００からの電力供給が停止したか否かを判断する（ステップＳ１０）。
【００７７】
電力供給は停止していない場合（ステップＳ１０のＮ）、ステップＳ１０に戻り待機する。
【００７８】
電力供給が停止した場合（ステップＳ１０のＹ）、制御部３１は、画像形成装置２０およびＮＷ機器４０への電力をバッテリー３３からの供給に切り替える（ステップＳ１１）。
【００７９】
次に、制御部３１は、通信部３３を介して電源断を画像形成装置２０に通知する（ステップＳ１２）。
【００８０】
以上、情報処理システム１における処理のうち、電源１００からの電力供給が停止した際の、ＵＰＳ３０における処理の流れについて説明した。
【００８１】
［処理の流れ（画像形成装置からの電源断通知）］
次に、情報処理システム１における処理のうち、ＵＰＳ３０から電源断の通知を受けた画像形成装置２０における処理の流れについて説明する。図７は、ＵＰＳ３０から電源断の通知を受けた画像形成装置２０における処理の流れについて説明するためのフローチャートである。
【００８２】
まず、電源断通知部２１ａが、通信部２８を介してＵＰＳ３０からの電源断の通知を受信したか否かを判断する（ステップＳ２０）。
【００８３】
電源断の通知を受けていない場合（ステップＳ２０のＮ）、電源断通知部２１ａはステップＳ２０に戻り待機する。
【００８４】
電源断の通知を受けた場合（ステップＳ２０のＹ）、電源断通知部２１ａは、記憶部２９から位置情報２９ａを取得する（ステップＳ２１）。
【００８５】
次に、電源断通知部２１ａは、取得した位置情報２９ａと共に、電源１００からの電力供給が停止した旨を管理装置１０に通知する（ステップＳ２２）。
【００８６】
以上、情報処理システム１における処理のうち、ＵＰＳ３０から電源断の通知を受けた画像形成装置２０における処理の流れについて説明した。
【００８７】
［処理の流れ（広域停電の判断と通知）］
次に、情報処理システム１における処理のうち、画像形成装置２０から電源断の通知を受けた管理装置１０における処理の流れについて説明する。図８は、画像形成装置２０から電源断の通知を受けた管理装置１０における処理の流れについて説明するためのフローチャートである。
【００８８】
まず、停電判断部１１ａが、通信部１５を介して画像形成装置２０からの電源断の通知を受信したか否かを判断する（ステップＳ３０）。
【００８９】
電源断の通知を受けていない場合（ステップＳ３０のＮ）、停電判断部１１ａはステップＳ３０に戻り待機する。
【００９０】
電源断の通知を受けた場合（ステップＳ３０のＹ）、停電判断部１１ａは、受信した通知の中から位置情報２９ａを抽出する（ステップＳ３１）。
【００９１】
次に、停電判断部１１ａは、地図情報サービス部１１ｂから取得した地図上に、抽出した位置情報２９ａをマッピングする（ステップＳ３２）。
【００９２】
次に、停電判断部１１ａは、地図上にマッピングされた、電源断を通知してきた画像形成装置２０の位置および件数と、特定の地域における画像形成装置２０の設置密度とから、広域停電が発生しているか否かを判断する（ステップＳ３３）。
【００９３】
ここで設置密度を考慮するのは、例えば、１平方キロメートルの領域に１台の画像形成装置２０が設置されていて、その画像形成装置２０から電源断の通知があった場合（広域停電の判断の精度は落ちる）と、１平方キロメートルの領域に１００台の画像形成装置が設置されていて、そのうちの１台から電源断の通知があった場合（明らかに広域停電ではない）とを区別するためである。
【００９４】
第１のしきい値以上の設置密度において、第２のしきい値以上の広がりをもって、第３のしきい値以上の件数の電源断通知があった場合に、広域停電であると判断することが出来る。
【００９５】
広域停電は発生していないと判断された場合（ステップＳ３４のＮ）、停電判断部１１ａは処理を終了する。
【００９６】
広域停電が発生していると判断された場合（ステップＳ３４のＹ）、停電判断部１１ａは、広域停電が発生している地域の近隣地域のディーラーおよびユーザーに、連絡先情報１７ｂを用いて広域停電の発生を通知する（ステップＳ３５）。
【００９７】
次に、停電判断部１１ａは、広域停電の発生に関する情報を停電履歴１７ｃに追加的に記録して処理を終了する（ステップＳ３６）。
【００９８】
以上、情報処理システム１における処理のうち、画像形成装置２０から電源断の通知を受けた管理装置１０における処理の流れについて説明した。
【００９９】
［処理の流れ（ＵＰＳの販売促進）］
次に、情報処理システム１における処理のうち、広域停電が頻発する地域に対してＵＰＳを画像形成装置２０と同時購入するという販売促進を行うための処理の流れについて説明する。図９は、広域停電が頻発する地域に対してＵＰＳを画像形成装置２０と同時購入するという販売促進を行うための処理の流れについて説明するためのフローチャートである。
【０１００】
まず、停電履歴解析部１１ｄが、記憶部１７から停電履歴１７ｃを取得する（ステップＳ４０）。
【０１０１】
次に、停電履歴解析部１１ｄが、取得した停電履歴１７ｃに基づき、広域停電が多く発生している地域を抽出する（ステップＳ４１）。
【０１０２】
次に、停電履歴解析部１１ｄが、抽出した地域のディーラーに、広域停電が多い地域である旨の情報を提供する（ステップＳ４２）。広域停電が多い地域である旨の情報を提供されたディーラーは、その旨を顧客に伝え、ＵＰＳ３０の販売を促進させる。
【０１０３】
以上、情報処理システム１における処理のうち、広域停電が頻発する地域に対してＵＰＳを画像形成装置２０と同時購入するという販売促進を行うための処理の流れについて説明した。
【０１０４】
［変形例］
上記の情報処理システム１では、電源断を検知して地図上にマッピングすることにより、広域停電の発生を判断したが、この構成に限らず、例えば、画像形成装置２０に振動センサーを備えることにより、地震が発生している地域の判断を行う構成でもよい。
【０１０５】
［補足事項］
以上のように、本発明に係る情報処理システム１は、
【０１０６】
その他、本発明は、上述の実施形態にのみ限定されるものではなく、本発明の要旨を逸脱しない範囲内において種々変更を加え得ることは勿論である。
【符号の説明】
【０１０７】
１  …  情報処理システム
１０  …  管理装置
１１  …  ＣＰＵ
１１ａ…  停電判断部
１１ｂ…  地図情報サービス部
１１ｃ…  通知サービス部
１１ｄ…  停電履歴解析部
１２  …  ＲＯＭ
１３  …  ＲＡＭ
１４  …  操作入力部
１５  …  通信部
１６  …  表示部
１６ａ…  表示画面
１７  …  記憶部
１７ａ…  地図情報
１７ｂ…  連絡先情報
１７ｃ…  停電履歴
１８  …  バス
２０  …  画像形成装置
２１  …  制御部
２１ａ…  電源断通知部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
２９ａ…  位置情報
３０  …  ＵＰＳ
３１  …  制御部
３２  …  通信部
３３  …  バッテリー
４０  …  ＮＷ機器
５０  …  ユーザー端末
１００  …  電源
【図１】
0006319265.tif 000002
【図２】
0006319265.tif 000003
【図３】
0006319265.tif 000004
【図４】
0006319265.tif 000005
【図５】
0006319265.tif 000006
【図６】
0006319265.tif 000007
【図７】
0006319265.tif 000008
【図８】
0006319265.tif 000009
【図９】
0006319265.tif 000010